【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
自動車のヘッドユニットと複数のモバイル機器との間のネットワーク接続を確立するための方法であって、
第１のモバイル機器を、近距離無線プロトコルで前記ヘッドユニットに接続するステップと、
前記ヘッドユニットにおいて、第２のモバイル機器と前記ヘッドユニットとの間の無線接続を近距離で確立するための、接続のリクエストを、前記第２のモバイル機器から受信するステップと、
前記リクエストされた接続が同じ前記近距離無線プロトコルを利用するものであり、及び前記第１のモバイル機器が現在ヘッドユニットとの接続のために当該プロトコルを使用していると判断すると、前記第１のモバイル機器を前記ヘッドユニットから切断することの承認を要請するリクエストを、前記第２のモバイル機器に送信するステップと、
前記第１のモバイル機器を前記ヘッドユニットから切断する承認を前記第２のモバイル機器から受信すると、前記第１のモバイル機器を前記ヘッドユニットから切断するステップと、
前記第２のモバイル機器での表示、及び前記第２のモバイル機器のユーザーによる選択のために、前記ヘッドユニットの識別情報を前記第２のモバイル機器に提供するステップと、
前記ユーザーが前記ヘッドユニットを選択すると、前記第２のモバイル機器から前記第２のモバイル機器の識別情報を、前記ヘッドユニットにおいて受信するステップと、
前記第２のモバイル機器を前記ヘッドユニットに登録するステップと、
前記第２のモバイル機器と前記ヘッドユニットとの間の接続を確立するステップと、
を備える方法。
【請求項２】
前記モバイル機器が前記ヘッドユニットでの登録を解除されており、且つ他のモバイル機器の最大台数がすでに前記ヘッドユニットに登録されていると判断すると、少なくとも一つの登録済みモバイル機器を前記ヘッドユニットから登録解除するステップを、更に備える請求項１に記載の方法。
【請求項３】
前記ヘッドユニットから前記第２のモバイル機器へ送受信されるデータのタイプに基いて、前記第２のモバイル機器と前記ヘッドユニットとの間の必要な帯域幅を決定するステップと、
前記必要な帯域幅があらかじめ決められたしきい値を上回るとき、前記リクエストされた接続のためにClassic Bluetooth（登録商標）プロトコルの利用を選択するステップと、
を更に備える請求項１に記載の方法。
【請求項４】
前記ヘッドユニットから前記第２のモバイル機器へ送受信されるデータのタイプに基いて、前記第２のモバイル機器と前記ヘッドユニットとの間の必要な帯域幅を決定するステップと、
前記必要な帯域幅があらかじめ決められたしきい値を下回るとき、前記リクエストされた接続のためにBluetooth Low Energyプロトコルの利用を選択するステップと、
を更に備える請求項１に記載の方法。
【請求項５】
前記第１のモバイル機器を前記ヘッドユニットから切断することの承認を要請する前記リクエストを前記第２のモバイル機器に送信するステップは、
マスターモバイル機器に、前記第１のモバイル機器を前記ヘッドユニットから切断することの承認を要請するリクエストを送信するステップを含み、前記マスターモバイル機器は、前記ヘッドユニットに前記第１のモバイル機器を切断する承認することができるよう校正されている、
請求項１に記載の方法。
【請求項６】
前記ヘッドユニットから登録解除すべき少なくとも１つの登録済みモバイル機器の選択を要請する別のリクエストを、前記第２のモバイル機器に送信するステップと、
少なくとも一つの登録済みモバイル機器の選択結果を、前記第２のモバイル機器から、受信するステップと、
を更に備える請求項２に記載の方法。
【請求項７】
前記モバイル機器は、ロックされた登録を持つ登録済みモバイル機器を登録解除することを禁止される、
請求項２に記載の方法。
【請求項８】
前記第２のモバイル機器と前記ヘッドユニットとの間の接続を確立することには、
前記リクエストされた接続が、Classical Bluetoothプロトコルを利用するものであると判断すると、Classical Bluetoothプロトコルを通して通信するために、前記第２のモバイル機器と前記ヘッドユニットとを接続するステップを、
含む請求項１に記載の方法。
【請求項９】
前記第２のモバイル機器と前記ヘッドユニットとの間の接続を確立することには、
前記リクエストされた接続が、Bluetooth Low Energyプロトコルを利用する利用するものであると判断すると、Bluetooth Low Energyプロトコルを通して通信するために、前記第２のモバイル機器と前記ヘッドユニットとを接続するステップを、
含む請求項１に記載の方法。
【請求項１０】
複数の命令を格納するメモリと、
前記命令を実行する処理装置と、を備える自動車用のヘッドユニットであって、
前記命令は、
前記ヘッドユニットにおいて、１つの近距離無線ネットワークプロトコルを使用してモバイル機器と前記ヘッドユニットとの間のネットワーク接続の確立を要請する通信リクエストを、前記モバイル機器から受信すること、
他のモバイル機器が、同一の前記近距離無線ネットワークプロトコルを使用して、前記ヘッドユニットに接続されていると判断すると、前記他のモバイル機器を、前記ヘッドユニットから切断するための承認を要請するリクエストを前記モバイル機器に送信すること、
前記モバイル機器を前記ヘッドユニットから切断するための承認を前記モバイル機器から受信すると、前記他のモバイル機器を前記ヘッドユニットから切断すること、
前記モバイル機器での表示、及び前記モバイル機器のユーザーによる選択のために、前記ヘッドユニットの識別情報を、前記他のモバイル機器に提供すること、
前記ユーザーが前記ヘッドユニットを選択すると、前記モバイル機器の識別情報を、前記モバイル機器から受信すること、及び
前記ヘッドユニットに前記モバイル機器を登録し、前記近距離無線ネットワークプロトコルを使用して、前記モバイル機器と前記ヘッドユニットとの間の前記ネットワーク接続を、確立すること、
を含む自動車用のヘッドユニット。
【請求項１１】
前記処理装置が実行する前記命令には、
前記他のモバイル機器の最大台数が、前記ヘッドユニットにすでに登録されていると判断すると、少なくとも一つの登録済みモバイル機器を、前記ヘッドユニットから登録解除すること、
を更に含む請求項１０に記載の自動車用のヘッドユニット。
【請求項１２】
前記処理装置が実行する前記命令には、
他のモバイル機器の最大台数が前記ヘッドユニットにすでに登録され、且つ前記モバイル機器が前記ヘッドユニットに登録されていないことを判断すること、
前記ヘッドユニットから登録解除すべき少なくとも一つの登録済みモバイル機器の選択を要請する別のリクエストをマスターモバイル機器へ送信すること、及び
前記少なくとも一つの登録済みモバイル機器を、前記ヘッドユニットから登録解除すること、
を更に含む請求項１０に記載の自動車用のヘッドユニット。
【請求項１３】
前記処理装置が実行する前記命令には、
前記モバイル機器と前記ヘッドユニットとの間でデータを送受信するための帯域幅の量に基いて、前記近距離無線ネットワークプロトコルを決定すること、
を更に含む請求項１０に記載の自動車用のヘッドユニット。
【請求項１４】
前記処理装置が実行する前記命令には、
マスター機器として識別された第３のモバイル機器に、前記他のモバイル機器を切断するための承認のためのリクエストを送信すること、及び、
前記他のモバイル機器を切断するための承認を、前記第３のモバイル機器から受信すること、
を更に含む請求項１０に記載の自動車用のヘッドユニット。
【請求項１５】
前記処理装置が実行する前記命令には、
Classic Bluetoothプロトコルを通して通信する、前記モバイル機器と前記ヘッドユニットとの間の前記ネットワーク接続を確立すること、
を更に含む請求項１０に記載の自動車用のヘッドユニット。
【請求項１６】
前記処理装置が実行する前記命令には、
Bluetooth Low Energyプロトコルを通して通信する、前記モバイル機器と前記ヘッドユニットとの間の前記ネットワーク接続を確立すること、
を更に含む請求項１０に記載の自動車用のヘッドユニット。
【請求項１７】
自動車の複数のアクセサリーと、
命令を格納するメモリ及び前記命令を実行する処理装置を含むヘッドユニットと、を備えるシステムであって、
前記処理装置が実行する前記命令には、
前記ヘッドユニットにおいて、第１のモバイル機器から、前記第１のモバイル機器と前記ヘッドユニットとの間のBluetooth接続を確立するためのリクエストを受信すること、
前記リクエストされた接続がClassic Bluetoothプロトコルを利用するものであり、且つ第２のモバイル機器が前記ヘッドユニットに現在接続されていると判断すると、前記第２のモバイル機器と前記ヘッドユニットとの間の接続を切断すること
前記第１のモバイル機器が、前記ヘッドユニットに登録されていないと判断すると、
他のモバイル機器の最大台数が、すでに前記ヘッドユニットに登録されているとの判断に応じて、少なくとも一つの登録済みモバイル機器を、前記ヘッドユニットから登録解除すること、
前記第１のモバイル機器を前記ヘッドユニットに登録すること、及び
戦記第１のモバイル機器と前記複数のアクセサリーとのアクセスを提供するために、前記第１のモバイル機器と前記ヘッドユニットとを接続すること、
を備えるシステム。
【請求項１８】
前記処理装置が実行する前記命令には、
前記第２のモバイル機器と前記ヘッドユニットとの接続を切断する承認を要請するリクエストを、前記第１のモバイル機器に送信し、
前記第１のモバイル機器から、前記承認を受信すること、
を更に備える請求項１７に記載のシステム。
【請求項１９】
前記処理装置が実行する前記命令には、
Classic Bluetoothプロトコルの使用を指示するリクエストに応答して、前記第１のモバイル機器と前記ヘッドユニットとをClassic Bluetoothプロトコルを通して接続すること、
を更に備える請求項１７に記載のシステム。
【請求項２０】
前記処理装置が実行する前記命令には、
Bluetooth Low Energyプロトコルの使用を指示するリクエストに応答して、前記第１のモバイル機器と前記ヘッドユニットとをBluetooth Low Energyプロトコルを通して接続すること、
を更に備える請求項１７に記載のシステム。